(57)【要約】【課題】本考案は、軽量化を図ることができるローラーガイドを提供する。【解決手段】本考案はローラーガイド本体１０と主軸受ユニット２０とを含むローラーガイド１００を提供する。ローラーガイド本体１０は、２つの固定部１１と、これらの固定部１１の対向端から突設された１対の縦壁１２とを含み、各縦壁１２には複数の空洞部１３が設けられ、さらに、主軸受ユニット２０の両端はそれぞれ各縦壁１２に枢設され、これらの空洞部１３は主軸受ユニット２０の周りを取り囲む。これにより、ローラーガイド１００の全体の重さが減り、軽量化の目的は達成されている。【選択図】図１
0003234994.tif 000002
【実用新案登録請求の範囲】
【請求項１】
釣り竿に設けられるローラーガイドであって、
２つの固定部とこれらの固定部の対向端から突設された１対の縦壁とを含むローラーガイド本体であって、各前記縦壁には複数の空洞部が設けられ、各前記縦壁はこれらの固定部に接続されかつこれらの固定部の間に位置し、且つこれらの縦壁は対向して設けられる前記ローラーガイド本体と、
両端がそれぞれ各前記縦壁に枢設される主軸受ユニットとを含み、
これらの空洞部は前記主軸受ユニットの周りを取り囲み、
各前記縦壁に設けられたこれらの空洞部は閉鎖した貫通孔であることを特徴とするローラーガイド。
【請求項２】
これらの空洞部の少なくとも１つは前記ローラーガイド本体の前記固定部に隣接することを特徴とする請求項１に記載のローラーガイド。
【請求項３】
前記複数の縦壁の間に副ガイドローラーユニットが設けられ、前記副ガイドローラーユニットは一方の前記空洞部に近く、且つその両端は各前記縦壁にロックされることを特徴とする請求項１に記載のローラーガイド。
【請求項４】
各前記縦壁には３つの前記空洞部が設けられることを特徴とする請求項１に記載のローラーガイド。
【請求項５】
前記ローラーガイド本体にはこれらの固定部とこれらの縦壁が一体成形されることを特徴とする請求項１に記載のローラーガイド。
【請求項６】
前記縦壁は略三角形で且つその３つの辺が不規則な弧度を有することを特徴とする請求項１に記載のローラーガイド。
【考案の詳細な説明】
【技術分野】
【０００１】
本考案は、ローラーガイドに関し、特に、釣り竿に取り付けられるローラーガイドである。
【背景技術】
【０００２】
釣り具のうち、釣り糸ガイド（ｆｉｓｈｉｎｇ  ｌｉｎｅ  ｇｕｉｄｅ）は釣り糸の角度を制限し、釣り糸の位置をガイドし支持力を与えるなどの役割があるから、釣り竿に位置するローラーガイドは魚に引っ張られた釣り糸を受け止めてガイドする部品として機能する。魚が食い付くと、釣り糸が引っ張られてローラーガイドリングに受け止められる。この時にはローラーガイドリングに接触した釣り糸の部分に大きな力がかかるため、ローラーガイドリングの強度を高める必要がある。ローラーガイドリングとは一般的に釣り竿の本体に取り付けられる釣り糸ガイドがほとんどである。このような釣り糸ガイドはフレームと、フレームに取り付けられる２つの釣り糸ガイドローラーとを含む。当該釣り糸ガイドのフレームは釣り糸にかかる大きな引張力に耐えられるほどの強度を有するために、２つの金属枠体によって形成される。
【０００３】
一方、釣り竿の本体に取り付けられる釣り糸ガイドには釣り糸にかかる大きな引張力に耐えるために十分な強度が求められるのはともかく、生産コストを増やさず釣り糸ガイドを軽量化することも、本分野で解決すべき課題である。
【考案の概要】
【考案が解決しようとする課題】
【０００４】
本考案の目的は、生産コストを増やさず、従来技術による釣り糸ガイドを軽量化するという課題を解決することである。
【課題を解決するための手段】
【０００５】
本考案は前記目的を達成するためになされたもので、ローラーガイドを提供することを目的とする。当該ローラーガイドは釣り竿に設けられ、主にローラーガイド本体と、主軸受ユニットとを含み、当該ローラーガイド本体は２つの固定部と、これらの固定部の対向端から突設された１対の縦壁とを含み、各当該縦壁には複数の空洞部が設けられ、各当該縦壁はこれらの固定部に接続されかつこれらの固定部の間に位置し、且つこれらの縦壁は対向して設けられ、さらに、当該主軸受ユニットの両端はそれぞれ各当該縦壁に枢設され、これらの空洞部は当該主軸受ユニットの周りを取り囲む。
【０００６】
さらに、これらの空洞部の少なくとも１つは当該ローラーガイド本体の当該固定部に隣接する。
【０００７】
さらに、当該複数の縦壁の間に副ガイドローラーユニットが設けられ、当該副ガイドローラーユニットは一方の当該空洞部に近く、且つその両端は各当該縦壁にロックされる。
【０００８】
さらに、各当該縦壁には３つの当該空洞部が設けられる。
【０００９】
さらに、当該ローラーガイド本体にはこれらの固定部とこれらの縦壁が一体成形される。
【００１０】
さらに、当該縦壁は略三角形で且つその３つの辺が不規則な弧度を有する。
【考案の効果】
【００１１】
これにより、本考案は従来技術と比べて次の有益な効果を有する。本考案のローラーガイドにおいてローラーガイド本体には固定部と縦壁が一体成形され、各縦壁には複数の空洞部が形成され、これらの空洞部は主軸受ユニットの周りを取り囲む。これにより、ローラーガイドには釣り糸の大きな引張力に耐える機能が保たれるだけでなく、これらの空洞部によりローラーガイドを軽量化するという目的は達成されている。
【図面の簡単な説明】
【００１２】
【図１】図１は本考案のローラーガイドの立体的な概略図である。
【図２】図２は本考案のローラーガイドの側面の概略図である。
【図３】図３は本考案のローラーガイドを釣り竿に組み合わせて使用する時の立体的な概略図である。
【考案を実施するための形態】
【００１３】
次に、本願の技術的特徴及び操作方法について好ましい実施形態をいくつか挙げ、図面と結び付けて説明することで、審査時の参考とする。また、本考案に係る図面は、説明の便宜上実際の寸法関係で作成されたものではなく、図中の割合、形状、形態は本考案の求める保護範囲への限定にはならない。
【００１４】
本考案による技術的解決手段を図１〜図３に示す。本考案はローラーガイド１００を提供することを目的とする。釣り竿２００と釣り糸３００に組み合わせて設けられ、ローラーガイド１００は主にローラーガイド本体１０と、主軸受ユニット２０と、副ガイドローラーユニット３０とを含み、本実施例のローラーガイド１００は主に釣り竿２００に設けられて使用されるものであるが、それに限定されるものではない。
【００１５】
ローラーガイド本体１０は、２つの固定部１１と、これらの固定部１１の対向端から一体成形で突設された１対の縦壁１２とを含み、各縦壁１２には複数の空洞部１３が設けられ、且つ各固定部１１は空洞部１３に近く、各縦壁１２はこれらの固定部１１に接続されかつこれらの固定部１１の間に位置し、且つこれらの縦壁１２は対向して設けられている。本実施例では３つの空洞部１３が設けられ、縦壁１２は略三角形で且つ３つの辺が不規則な弧度を有する。ただし前記形態には限定されない。
【００１６】
主軸受ユニット２０は、両端がそれぞれ各縦壁１２に枢設され、図１が参照されるとおり、主軸受ユニット２０のローラー（符号が記されない）はこれらの縦壁１２の間に枢設され且つ当該ローラーは回転できる。
【００１７】
副ガイドローラーユニット３０は、両端がそれぞれ各縦壁１２にロックされ、つまり副ガイドローラーユニット３０の副ガイドローラー（符号が記されない）はこれらの縦壁１２の間にロックされ、且つ副ガイドローラーユニット３０は一方の空洞部１３に近い。
【００１８】
これらの空洞部１３は主軸受ユニット２０の周りを取り囲み、且つ各縦壁１２に設けられたこれらの空洞部１３は閉鎖した貫通孔であり、これによりローラーガイド１００の全体の重さが減り、ローラーガイド１００が釣り竿２００に取り付けられていた時は、軽量化の目的が達成されるだけでなく、ローラーガイド１００には釣り糸３００の大きな引張力に耐える機能が保たれ、しかも縦壁１２を通すこれらの空洞部１３で縦壁１２の支持性能が低下することはない。
【００１９】
図３が参照されるとおり、使用者は一般に固定ロープ（符号が記されない）と接着剤（不図示）でローラーガイド１００を釣り竿２００に固定して、釣り糸３００をローラーガイド１００に通し、つまり２つの縦壁１２、副ガイドローラーユニット３０及び主軸受ユニット２０によって構成されたスペースに釣り糸３００を通す。釣り糸３００が引っ張られると、主軸受ユニット２０と副ガイドローラーユニット３０に受け止められ、ローラーガイド本体１０のこれらの固定部１１とこれらの縦壁１２が一体成形されているため、これらの縦壁１２から、それに枢設された主軸受ユニット２０と副ガイドローラーユニット３０に十分な支持力が与えられ、しかも釣り糸３００の一部に大きな摩擦力がかかることが避けられ、釣り糸３００が引っ張られても切れる恐れはなく、これらの空洞部１３によりローラーガイド１００の全体の重さが一層低減している。
【００２０】
上記から分かるように、本考案のローラーガイド１００においてローラーガイド本体１０には固定部１１と縦壁１２が一体成形され、各縦壁１２には複数の空洞部１３が形成され、これらの空洞部１３は主軸受ユニット２０の周りを取り囲む。これにより、ローラーガイド１００には釣り糸３００の大きな引張力に耐える機能が保たれるだけでなく、これらの空洞部１３によりローラーガイド１００を軽量化するという目的は達成されている。
【００２１】
本考案を上記のとおり詳細に説明しているが、上述したのは本考案の好ましい実施例に過ぎず、本考案の実施の範囲を限定するものではない。本考案の請求範囲に基づいて行われた均等な変化や変更は、いずれも本考案の請求範囲に含まれる。
【符号の説明】
【００２２】
１０                       ローラーガイド本体
１１                       固定部
１２                       縦壁
１３                       複数の空洞部
２０                       主軸受ユニット
３０                       副ガイドローラーユニット
１００                    ローラーガイド
２００                    釣り竿
３００                    釣り糸
【図１】
0003234994.tif 000003
【図２】
0003234994.tif 000004
【図３】
0003234994.tif 000005